(57)【要約】【課題】  噴霧装置の設置を容易にすることができるとともにエネルギー不足のときに噴霧装置を十分に稼働することができる補助冷却システム及び補助冷却方法を提供する。【解決手段】  補助冷却システム１は、冷却機の空冷式凝縮器７４ａ等における熱交換を補助する。補助冷却システム１は、ソーラパネル１０と噴霧装置２０ａ等とを備える。ソーラパネル１０は、太陽光エネルギーを受けて電力を発生する。噴霧装置２０ａ等は、ソーラパネル１０が発生した電力のみの供給を受けて、空冷式凝縮器７４ａ等に水を噴霧する。【選択図】      図１
2005147635.tif 000002
【特許請求の範囲】
【請求項１】
冷却機の空冷式凝縮器（７４ａ，７４ｂ，・・・）における熱交換を補助するための補助冷却システム（１，１００）であって、
太陽光エネルギーを受けて電力を発生する太陽光発電装置（１０）と、
前記太陽光発電装置（１０）が発生した電力のみの供給を受けて、前記空冷式凝縮器（７４ａ，７４ｂ，・・・）に水を噴霧する噴霧装置（２０ａ，２０ｂ，・・・）と、
を備えた補助冷却システム（１，１００）。
【請求項２】
前記噴霧装置（２０ａ，２０ｂ，・・・）に前記水を供給する給水装置（３０，５０，１９０）をさらに備える、
請求項１に記載の補助冷却システム（１，１００）。
【請求項３】
前記噴霧装置（２０ａ，２０ｂ，・・・）は、前記太陽光発電装置（１０）が供給する電力が所定量以上である場合に、前記空冷式凝縮器（７４ａ，７４ｂ，・・・）に水を噴霧する、
請求項１又は２のいずれかに記載の補助冷却システム（１，１００）。
【請求項４】
前記給水装置（３０，５０，１９０）は、前記雨水をためて、前記噴霧装置（２０ａ，２０ｂ，・・・）に前記雨水を供給する、
請求項２又は３のいずれかに記載の補助冷却システム（１，１００）。
【請求項５】
前記給水装置（３０，５０，１９０）は、前記雨水を供給するか水道水を供給するか選択可能であり、前記雨水が不足している場合に、前記雨水及び前記水道水の混合水あるいは前記水道水のみを前記噴霧装置（２０ａ，２０ｂ，・・・）に供給する、
請求項４に記載の補助冷却システム（１，１００）。
【請求項６】
前記雨水及び前記水道水の少なくとも一方の質を改善する改質器（４０，１４０）をさらに備えた、
請求項５に記載の補助冷却システム（１，１００）。
【請求項７】
複数の前記冷却機の冷却能力の不足度合いを検出する検出装置（７７ａ，７７ｂ，・・・）をさらに備え、
前記噴霧装置（２０ａ，２０ｂ，・・・）は、前記太陽光発電装置（１０）が発生した電力のみの供給を受けて、前記冷却能力の不足度合いが大きい前記冷却機の前記空冷式凝縮器（７４ａ，７４ｂ，・・・）に、優先的に水を噴霧する、
請求項１から６のいずれかに記載の補助冷却システム（１，１００）。
【請求項８】
冷却機の空冷式凝縮器（７４ａ，７４ｂ，・・・）における熱交換が補助されるための補助冷却方法であって、
太陽光エネルギーが受けられて電力が発生される太陽光発電ステップと、
前記太陽光発電ステップで発生された電力のみの供給が受けられて、前記空冷式凝縮器（７４ａ，７４ｂ，・・・）に水が噴霧される噴霧ステップと、
を備えた補助冷却方法。
【発明の詳細な説明】
【技術分野】
【０００１】
本発明は、補助冷却システム及び補助冷却方法に関する。
【背景技術】
【０００２】
従来から、冷却機の空冷式凝縮器における熱交換を補助するための装置が提案されている（例えば、特許文献１−５参照。）。これら従来の装置は、熱交換器に水を噴霧する。そして、水の蒸発潜熱により熱交換器が冷やされ、熱交換器における熱交換を補助する。これにより、ピーク時における冷却機の冷却能力の不足が補われる。
【特許文献１】特許第３００９８７４号  （第１−６頁、第１−５図）
【特許文献２】特許第３０３７６５８号  （第１−３頁、第１−４図）
【特許文献３】特許第３０７３９６６号  （第１−７頁、第１−４図）
【特許文献４】特許第３１９５２９１号  （第１−３頁、第１−２図）
【特許文献５】特許第３２２４５３０号  （第１−５頁、第１−５図）
【発明の開示】
【発明が解決しようとする課題】
【０００３】
しかし、従来の装置は、外部からエネルギーを供給する必要があるため、外部からエネルギーを供給するための工事が必要であり、装置の導入に二の足を踏むことがある。また、従来の装置は、外部からエネルギーを供給する必要があるため、エネルギー不足のときに十分に稼働しないおそれがある。
そこで、本発明の課題は、噴霧装置の設置を容易にすることができるとともにエネルギー不足のときに噴霧装置を十分に稼働することができる補助冷却システム及び補助冷却方法を提供することにある。
【課題を解決するための手段】
【０００４】
請求項１に係る補助冷却システムは、冷却機の空冷式凝縮器における熱交換を補助するための補助冷却システムであって、太陽光発電装置と噴霧装置とを備える。太陽光発電装置は、太陽光エネルギーを受けて電力を発生する。噴霧装置は、太陽光発電装置が発生した電力のみの供給を受けて、空冷式凝縮器に水を噴霧する。
この補助冷却システムでは、太陽光発電装置が、太陽光エネルギーを受けて電力を発生する。噴霧装置が、水の供給を受けることができる。噴霧装置が、太陽光発電装置が発生した電力のみの供給を受けて、空冷式凝縮器に水を噴霧する。
【０００５】
したがって、冷却機の負荷がピークになり冷却能力の不足しやすい暑さの強い時に強い日射があるため、外部からエネルギーを供給することなく冷却機の空冷式凝縮器における熱交換を補助することができる。このため、噴霧装置の導入を容易にすることができるとともにエネルギー不足のときに噴霧装置を十分に稼働することができる。
なお、水は、雨水でもよいし、水道水でもよいし、雨水及び水道水の混合水でもよい。
【０００６】
請求項２に係る補助冷却システムは、請求項１に記載の補助冷却システムであって、給水装置をさらに備える。給水装置は、噴霧装置に水を供給する。
この補助冷却システムでは、太陽光発電装置が、太陽光エネルギーを受けて電力を発生する。給水装置が、噴霧装置に水を供給する。噴霧装置が、太陽光発電装置が発生した電力のみの供給を受けて、空冷式凝縮器に水を噴霧する。
【０００７】
したがって、冷却機の負荷がピークになり冷却能力の不足しやすい暑さの強い時に強い日射があるため、外部からエネルギーを供給することなく冷却機の空冷式凝縮器における熱交換を補助することができる。このため、噴霧装置の導入を容易にすることができるとともにエネルギー不足のときに噴霧装置を十分に稼働することができる。
請求項３に係る補助冷却システムは、請求項１又は２のいずれかに記載の補助冷却システムであって、噴霧装置は、太陽光発電装置が供給する電力が所定量以上である場合に、空冷式凝縮器に水を噴霧する。
【０００８】
この補助冷却システムでは、太陽光発電装置が、太陽光エネルギーを受けて電力を発生する。噴霧装置が、水の供給を受けることができる。噴霧装置が、太陽光発電装置が供給する電力が所定量以上である場合に、空冷式凝縮器に水を噴霧する。
したがって、冷却機の負荷がピークになり冷却能力の不足しやすい暑さの強い時に強い日射があり、噴霧装置に所定量以上の電力を供給することができる。このため、外部からエネルギーを供給することなく冷却機の空冷式凝縮器における熱交換を補助することができる。
【０００９】
請求項４に係る補助冷却システムは、請求項２又は３のいずれかに記載の補助冷却システムであって、給水装置は、雨水をためて、噴霧装置に雨水を供給する。
この補助冷却システムでは、給水装置が、雨水をためて、噴霧装置に雨水を供給する。噴霧装置が、太陽光発電装置が発生した電力のみの供給を受けて、空冷式凝縮器に雨水を噴霧する。
【００１０】
したがって、雨水を利用するので、外部から水を供給しなくても、噴霧装置に水を供給することができる。このため、外部から水を供給しなくても、冷却機の空冷式凝縮器における熱交換を補助することができる。このため、噴霧装置の設置をさらに容易にすることができるとともにエネルギー不足のときに噴霧装置をさらに十分に稼働することができる。
【００１１】
請求項５に係る補助冷却システムは、請求項４に記載の補助冷却システムであって、給水装置は、雨水を供給するか水道水を供給するか選択可能であり、雨水が不足している場合に、雨水及び水道水の混合水あるいは水道水のみを噴霧装置に供給する。
この補助冷却システムでは、給水装置が、雨水を供給するか水道水を供給するか選択可能である。給水装置が、雨水をためる。給水装置が、雨水が十分ある場合に、噴霧装置に雨水を供給する。給水装置が、雨水が不足している場合に、雨水及び水道水の混合水あるいは水道水のみを噴霧装置に供給する。噴霧装置が、太陽光発電装置が発生した電力のみの供給を受けて、雨水及び水道水の少なくとも一方を空冷式凝縮器に噴霧する。
【００１２】
したがって、雨水が不足している場合に水道水を利用するので、雨の少ない時期でも噴霧装置に水を供給することができる。
請求項６に係る補助冷却システムは、請求項５に記載の補助冷却システムであって、改質器をさらに備える。改質器は、雨水及び水道水の少なくとも一方の質を改善する。
この補助冷却システムでは、給水装置が、雨水が十分ある場合に、雨水をためる。給水装置が、雨水が不足している場合に、水道水の供給を受けることができる。改質器が、雨水及び水道水の少なくとも一方の質を改善する。給水装置が、雨水及び水道水の少なくとも一方を噴霧装置に供給する。噴霧装置が、太陽光発電装置が発生した電力のみの供給を受けて、雨水及び水道水の少なくとも一方を空冷式凝縮器に噴霧する。
【００１３】
したがって、雨水及び水道水の少なくとも一方の質を改善するので、雨水及び水道水の少なくとも一方の質が悪い場合でも、噴霧装置の先端がつまることを防止することができる。
請求項７に係る補助冷却システムは、請求項１から６のいずれかに記載の補助冷却システムであって、検出装置をさらに備える。検出装置は、複数の冷却機の冷却能力の不足度合いを検出する。噴霧装置は、太陽光発電装置が発生した電力のみの供給を受けて、冷却能力の不足度合いが大きい冷却機の空冷式凝縮器に、優先的に水を噴霧する。
【００１４】
この補助冷却システムでは、検出装置が、複数存在する冷却機に対して、複数の冷却機の冷却能力の不足度合いを検出する。噴霧装置が、複数の冷却機の冷却能力の不足度合いの情報を受け取ることができる。噴霧装置が、太陽光発電装置が発生した電力のみの供給を受けて、冷却能力の不足度合いが大きい冷却機の空冷式凝縮器に、優先的に水を噴霧する。
【００１５】
したがって、冷却能力の不足度合いが大きい冷却機の空冷式凝縮器から優先的に水が噴霧されるので、冷却機の空冷式凝縮器における熱交換を効果的に補助することができる。
請求項８に係る補助冷却方法は、冷却機の空冷式凝縮器における熱交換が補助されるための補助冷却方法であって、太陽光発電ステップと、噴霧ステップとを備える。太陽光発電ステップでは、太陽光エネルギーが受けられて電力が発生される。噴霧ステップでは、太陽光発電ステップで発生された電力のみの供給が受けられて、空冷式凝縮器に水が噴霧される。
【００１６】
この補助冷却方法では、太陽光発電ステップにおいて、太陽光エネルギーが受けられて電力が発生される。噴霧ステップにおいて、水の供給が受けられ得る。噴霧ステップにおいて、太陽光発電ステップで発生された電力のみの供給が受けられて、空冷式凝縮器に水が噴霧される。
したがって、冷却機の負荷がピークになり冷却能力の不足しやすい暑さの強い時に強い日射があるため、外部からエネルギーを供給することなく冷却機の空冷式凝縮器における熱交換を補助することができる。このため、噴霧装置の導入を容易にすることができるとともにエネルギー不足のときに噴霧装置を十分に稼働することができる。
【００１７】
なお、水は、雨水でもよいし、水道水でもよいし、雨水及び水道水の混合水でもよい。
【発明の効果】
【００１８】
請求項１に係る補助冷却システムでは、冷却機の負荷がピークになり冷却能力の不足しやすい暑さの強い時に強い日射があるため、外部からエネルギーを供給することなく冷却機の空冷式凝縮器における熱交換を補助することができる。このため、噴霧装置の導入を容易にすることができるとともにエネルギー不足のときに噴霧装置を十分に稼働することができる。
【００１９】
請求項２に係る補助冷却システムでは、冷却機の負荷がピークになり冷却能力の不足しやすい暑さの強い時に強い日射があるため、外部からエネルギーを供給することなく冷却機の空冷式凝縮器における熱交換を補助することができる。このため、噴霧装置の導入を容易にすることができるとともにエネルギー不足のときに噴霧装置を十分に稼働することができる。
【００２０】
請求項３に係る補助冷却システムでは、冷却機の負荷がピークになり冷却能力の不足しやすい暑さの強い時に強い日射があり、噴霧装置に所定量以上の電力を供給することができる。このため、外部からエネルギーを供給することなく冷却機の空冷式凝縮器における熱交換を補助することができる。
請求項４に係る補助冷却システムでは、雨水を利用するので、外部から水を供給しなくても、噴霧装置に水を供給することができる。このため、外部から水を供給しなくても、冷却機の空冷式凝縮器における熱交換を補助することができる。このため、噴霧装置の設置をさらに容易にすることができるとともにエネルギー不足のときに噴霧装置をさらに十分に稼働することができる。
【００２１】
請求項５に係る補助冷却システムでは、雨水が不足している場合に水道水を利用するので、雨の少ない時期でも噴霧装置に水を供給することができる。
請求項６に係る補助冷却システムでは、雨水及び水道水の少なくとも一方の質を改善するので、雨水及び水道水の少なくとも一方の質が悪い場合でも、噴霧装置の先端がつまることを防止することができる。
【００２２】
請求項７に係る補助冷却システムでは、冷却能力の不足度合いが大きい冷却機の空冷式凝縮器から優先的に水が噴霧されるので、冷却機の空冷式凝縮器における熱交換を効果的に補助することができる。
請求項８に係る補助冷却方法では、冷却機の負荷がピークになり冷却能力の不足しやすい暑さの強い時に強い日射があるため、外部からエネルギーを供給することなく冷却機の空冷式凝縮器における熱交換を補助することができる。このため、噴霧装置の導入を容易にすることができるとともにエネルギー不足のときに噴霧装置を十分に稼働することができる。
【発明を実施するための最良の形態】
【００２３】
［第１実施形態］
本発明の第１実施形態に係る補助冷却システム１の概念図を図１に示す。また、その構成図を図２から図４に示す。ここに示す補助冷却システム１は、主として、冷却機の空冷式凝縮器群７４（７４ａ，７４ｂ，・・・）における熱交換を補助するためのシステムである。
【００２４】
＜補助冷却システム１の全体構成＞
図１に示す補助冷却システム１は、主としてソーラパネル１０，噴霧装置群２０（２０ａ，２０ｂ，・・・），雨水タンク３０，改質器４０，電磁弁５０，給水管６０及び電気配線５を備える。
ソーラパネル１０が、太陽光エネルギーを受けて電力を発生する。雨水タンク３０が、雨水をためる。改質器４０が、雨水タンク３０にためられた水の質を改善する。電磁弁５０が、ソーラパネル１０が供給する電力が所定量以上である場合に、給水管６０を経由して、雨水タンク３０から噴霧装置群２０（２０ａ，２０ｂ，・・・）に雨水を供給する。噴霧装置群２０（２０ａ，２０ｂ，・・・）が、ソーラパネル１０が発生した電力のみの供給を電気配線５経由で受けて、ソーラパネル１０が供給する電力が所定量以上である場合に、冷却機の室外機群７０（７０ａ，７０ｂ，・・・）の空冷式凝縮器群７４（７４ａ，７４ｂ，・・・）に水を噴霧する。なお、冷却機は、主として図３に示す室外機群７０（７０ａ，７０ｂ，・・・）と図４に示す室内機群８０（８０ａ，８０ｂ，・・・）とを備える。
【００２５】
＜ソーラパネル１０の構成＞
図１に示すソーラパネル１０は、太陽光を受けることが可能な場所に設置される。例えば、ビルの屋上などに設置される。
図２に示すように、ソーラパネル１０は、主として受光部１１，発電部１２及び供給部１３を備える。受光部１１は、太陽光エネルギーを受けて、発電部１２へ渡す。発電部１２は、太陽光エネルギーを電気エネルギーに変換して、供給部１３へ渡す。供給部１３は、電気エネルギーを電力として噴霧装置群２０（２０ａ，２０ｂ，・・・）や電磁弁５０へ電気配線５経由で渡す。
【００２６】
＜雨水タンク３０の構成＞
図１に示す雨水タンク３０は、雨水をためることが可能な場所に設置される。例えば、ビルの屋上などに設置される。
雨水タンク３０は、通常のタンクであり、雨が降った際に、雨水をためる。
＜改質器４０の構成＞
図１に示す改質器４０は、雨水タンク３０から雨水の供給を受けることが可能な場所に設置される。
【００２７】
改質器４０は、雨水タンク３０から雨水の供給を受けて、雨水の質を改善する。例えば、雨水のＰＨを改善する。
＜電磁弁５０の構成＞
図１に示す電磁弁５０は、給水管６０において雨水タンク３０と噴霧装置群２０（２０ａ，２０ｂ，・・・）との間に設置される。
【００２８】
図２に示すように、電磁弁５０は、主として受取部５１，制御部５２及び開閉部５３を備える。受取部５１は、ソーラパネル１０のみから電気配線５経由で電力の供給を受けて、制御部５２へ渡す。制御部５２は、電力量が所定値を超えているか否かを判断する。制御部５２は、電力量が所定値を超えている場合に、弁を開く旨の制御信号を開閉部５３に渡す。開閉部５３は、弁を開き、給水管６０を経由して、雨水タンク３０から噴霧装置群２０（２０ａ，２０ｂ，・・・）に雨水が供給されるようにする。
【００２９】
＜噴霧装置群２０（２０ａ，２０ｂ，・・・）の構成＞
図１に示す噴霧装置２０ａは、図３に示すように、冷却機の空冷式凝縮器７４ａの近くに設置される。
図２に示すように、噴霧装置２０ａは、主として受取部２１ａ，制御部２２ａ及び噴霧部２３ａを備える。受取部２１ａは、ソーラパネル１０のみから電気配線５経由で電力の供給を受けて、制御部２２ａへ渡す。制御部２２ａは、電力量が所定値を超えているか否かを判断する。制御部２２ａは、電力量が所定値を超えている場合に、噴霧する旨の制御信号を噴霧部２３ａに渡す。噴霧部２３ａは、給水管６０経由で雨水タンク３０から雨水の供給を受けて、空冷式凝縮器７４ａに雨水を噴霧する。
【００３０】
他の噴霧装置２０ｂ，・・・も、噴霧装置２０ａと同様である。
＜冷却機の室外機群７０（７０ａ，７０ｂ，・・・）の構成＞
図３に示す室外機７０ａは、主として、空冷式凝縮器７４ａ，アキュムレータ７１ａ，圧縮機７２ａ，四路切換弁７３ａ及び室外ファン７５ａを備える。空冷式凝縮器７４ａは、アキュムレータ７１ａ、圧縮機７２ａ、四路切換弁７３ａ等の冷媒回路構成部品と共に冷媒回路を構成し、室外の空気と冷媒との間で熱交換を行う。圧縮機７２ａ等は、電力によって駆動され、冷媒を循環させる。室外ファン７５ａは、室外ファンモータ７９ａによって駆動され、室外から取り込まれ空冷式凝縮器７４ａを通る空気の流れを生成する。
【００３１】
他の室外機７０ｂ，・・・も、室外機７０ａと同様である。
＜冷却機の室内機群８０（８０ａ，８０ｂ，・・・）の構成＞
図４に示す室内機８０ａａは、主として、室内熱交換器８４ａａ，室内ファン８１ａａ及び電動弁８３ａａを備える。室内熱交換器８４ａａは、電動弁８３ａａや空冷式凝縮器７４ａ等と共に冷媒回路を構成し、室内の空気と冷媒との間で熱交換を行う。室内ファン８１ａａは、室内ファンモータ８２ａａによって駆動され、室内へと送られる空気の流れを生成する。なお、室内機群８０ａ（８０ａａ，８０ａｂ，・・・）と室外機７０ａとは、１つの冷媒回路を共有している。
【００３２】
他の室内機８０ａｂ，・・・，８０ｂａ，８０ｂｂ，・・・も、室内機８０ａａと同様である。
＜補助冷却システム１が冷却機の空冷式凝縮器群７４（７４ａ，７４ｂ，・・・）における熱交換を補助する処理の流れ＞
補助冷却システム１が冷却機の空冷式凝縮器群７４（７４ａ，７４ｂ，・・・）における熱交換を補助する処理の流れを、図５に示すフローチャートを用いて説明する。ここでは、補助冷却システム１が冷却機の空冷式凝縮器７４ａにおける熱交換を補助する場合の処理の流れを説明するが、補助冷却システム１が冷却機の他の空冷式凝縮器７４ｂ，・・・における熱交換を補助する場合も同様である。
【００３３】
図５に示すステップＳ１では、太陽光発電が行われる。すなわち、ソーラパネル１０の受光部１１により、太陽光エネルギーが受けられて、発電部１２へ渡される。発電部１２により、太陽光エネルギーが電気エネルギーに変換され、供給部１３へ渡される。供給部１３により、電気エネルギーが電力として噴霧装置２０ａや電磁弁５０へ電気配線５経由で渡される。雨水タンク３０により、雨水がためられる。改質器４０により、雨水タンク３０にためられた雨水の質が改善される。
【００３４】
図５に示すステップＳ２では、発電量が所定値を超えているか否かが判断される。すなわち、電磁弁５０の受取部５１により、ソーラパネル１０のみから電気配線５経由で電力の供給が受けられて、制御部５２へ渡される。制御部５２により、電力量が所定値を超えているか否かが判断される。また、噴霧装置２０ａの受取部２１ａにより、ソーラパネル１０のみから電気配線５経由で電力の供給が受けられて、制御部２２ａへ渡される。制御部２２ａにより、電力量が所定値を超えているか否かが判断される。所定値を超えていると判断された場合は、ステップＳ３へ進められ、所定値を超えていないと判断された場合は、ステップＳ１へ進められる。
【００３５】
図５に示すステップＳ３では、雨水が供給される。すなわち、電磁弁５０の制御部５２により、弁を開く旨の制御信号が開閉部５３に渡される。開閉部５３により、弁が開かれ、給水管６０を経由して、雨水タンク３０から噴霧装置２０ａに雨水が供給される。
図５に示すステップＳ４では、水が噴霧される。すなわち、噴霧装置２０ａの制御部２２ａにより、噴霧する旨の制御信号が噴霧部２３ａに渡される。噴霧部２３ａにより、給水管６０経由で雨水タンク３０から雨水の供給が受けられて、空冷式凝縮器７４ａに雨水が噴霧される。
【００３６】
＜補助冷却システム１に関する特徴＞
（１）
ここでは、図１に示すソーラパネル１０が、太陽光エネルギーを受けて電力を発生する。電磁弁５０が、雨水タンク３０から噴霧装置２０ａ，２０ｂ，・・・に給水管６０経由で水を供給する。噴霧装置２０ａ，２０ｂ，・・・が、ソーラパネル１０が発生した電力のみの供給を電気配線５経由で受けて、空冷式凝縮器７４ａ，７４ｂ，・・・に水を噴霧する。
【００３７】
したがって、冷却機の負荷がピークになり冷却能力の不足しやすい暑さの強い時に強い日射があるため、外部からエネルギーを供給することなく冷却機の空冷式凝縮器７４ａ，７４ｂ，・・・における熱交換が補助される。このため、噴霧装置２０ａ，２０ｂ，・・・の導入が容易になるとともにエネルギー不足のときに噴霧装置２０ａ，２０ｂ，・・・が十分に稼働される。
【００３８】
（２）
ここでは、ソーラパネル１０が、太陽光エネルギーを受けて電力を発生する。噴霧装置２０ａ，２０ｂ，・・・が、給水管６０経由で水の供給を受ける。噴霧装置２０ａ，２０ｂ，・・・が、ソーラパネル１０が供給する電力が所定量以上である場合に、空冷式凝縮器７４ａ，７４ｂ，・・・に水を噴霧する。
【００３９】
したがって、冷却機の負荷がピークになり冷却能力の不足しやすい暑さの強い時に強い日射があり、噴霧装置に所定量以上の電力が供給される。このため、外部からエネルギーを供給することなく冷却機の空冷式凝縮器７４ａ，７４ｂ，・・・における熱交換が補助される。
（３）
ここでは、雨水タンク３０が、雨水をためる。電磁弁５０が、雨水タンク３０から噴霧装置２０ａ，２０ｂ，・・・に給水管６０経由で雨水を供給する。噴霧装置２０ａ，２０ｂ，・・・が、ソーラパネル１０が発生した電力のみの供給を電気配線５経由で受けて、空冷式凝縮器７４ａ，７４ｂ，・・・に雨水を噴霧する。
【００４０】
したがって、雨水を利用するので、外部から水を供給しなくても、噴霧装置２０ａ，２０ｂ，・・・に水が供給される。このため、外部から水を供給しなくても、冷却機の空冷式凝縮器７４ａ，７４ｂ，・・・における熱交換が補助される。このため、噴霧装置２０ａ，２０ｂ，・・・の設置がさらに容易になるとともにエネルギー不足のときに噴霧装置２０ａ，２０ｂ，・・・がさらに十分に稼働される。
【００４１】
（４）
ここでは、雨水タンク３０が、雨水をためる。改質器４０が、雨水の質を改善する。電磁弁５０が、雨水タンク３０から噴霧装置２０ａ，２０ｂ，・・・に給水管６０経由で雨水を供給する。噴霧装置２０ａ，２０ｂ，・・・が、ソーラパネル１０が発生した電力のみの供給を電気配線５経由で受けて、空冷式凝縮器７４ａ，７４ｂ，・・・に雨水を噴霧する。
【００４２】
したがって、雨水の質を改善するので、雨水の質が悪い場合でも、噴霧装置２０ａ，２０ｂ，・・・の噴霧部２３ａ，２３ｂ，・・・の先端がつまることが防止される。
＜第１実施形態の変形例＞
（Ａ）補助冷却システム１は、検出装置７７ａ，７７ｂ，・・・をさらに備えてもよい。すなわち、検出装置が、冷却機の室外機群７０（７０ａ，７０ｂ，・・・）の冷却能力の不足度合いを検出する。噴霧装置２０ａ，２０ｂ，・・・が、冷却機の室外機群７０（７０ａ，７０ｂ，・・・）の冷却能力の不足度合いの情報を受け取る。噴霧装置２０ａ，２０ｂ，・・・が、ソーラパネル１０が発生した電力のみの供給を電気配線５経由で受けて、冷却能力の不足度合いが大きい冷却機の室外機７０ａ，７０ｂ，・・・の空冷式凝縮器７４ａ，７４ｂ，・・・に、優先的に水を噴霧する。したがって、冷却能力の不足度合いが大きい室外機７０ａ，７０ｂ，・・・の空冷式凝縮器７４ａ，７４ｂ，・・・から優先的に水が噴霧されるので、冷却機の室外機７０ａ，７０ｂ，・・・の空冷式凝縮器７４ａ，７４ｂ，・・・における熱交換が効果的に補助される。
【００４３】
（Ｂ）補助冷却システム１は、電磁弁５０を備えなくてもよい。すなわち、雨水タンク３０ａから噴霧装置２０ａ，２０ｂ，・・・に給水管６０経由で雨水を供給するか否かが、噴霧装置２０ａ，２０ｂ，・・・により制御されてもよい。
（Ｃ）補助冷却システム１は、改質器４０を備えなくてよい。すなわち、雨水の質が問題なければ、雨水タンク３０ａから噴霧装置２０ａ，２０ｂ，・・・に給水管６０経由で雨水がそのまま供給されてもよい。
【００４４】
（Ｄ）噴霧装置２０ａ，２０ｂ，・・・や冷却機の室外機７０ａ，７０ｂ，・・・は、複数でなくてもよいし、複数であってもよい。噴霧装置２０ａ，２０ｂ，・・・と冷却機の室外機７０ａ，７０ｂ，・・・とは、１対１に対応していなくてもよい。すなわち、複数の噴霧装置２０ａ，２０ｂ，・・・に１つの室外機７０ａ，７０ｂ，・・・が対応していてもよいし、１つの噴霧装置２０ａ，２０ｂ，・・・に複数の室外機７０ａ，７０ｂ，・・・が対応していてもよいし、複数の噴霧装置２０ａ，２０ｂ，・・・に複数の室外機７０ａ，７０ｂ，・・・が対応していてもよい。図３，図４に示すように、１つの室外機７０ａ，７０ｂ，・・・と複数の室内機８０ａａ，８０ａｂ，・・・，８０ｂａ，８０ｂｂ，・・・とが１つの冷媒回路を共有していなくてもよい。すなわち、１つの室外機７０ａ，７０ｂ，・・・と１つの室内機８０ａａ，８０ａｂ，・・・，８０ｂａ，８０ｂｂ，・・・とが１つの冷媒回路を共有していてもよいし、複数の室外機７０ａ，７０ｂ，・・・と１つの室内機８０ａａ，８０ａｂ，・・・，８０ｂａ，８０ｂｂ，・・・とが１つの冷媒回路を共有していてもよい。電磁弁５０は、弁の開度を調整できるものであってもよい。
【００４５】
（Ｅ）補助冷却システム１は、冷却機の空冷式凝縮器群７４（７４ａ，７４ｂ，・・・）における熱交換を補助するためだけでなく、建物そのものへ散水するために用いられてもよい。この場合、水の蒸発潜熱により建物の表面が冷やされ、建物の室内における空調負荷が低減される。これにより、ピーク時における冷却機の冷却能力の不足が補われる。
（Ｆ）図１に示す噴霧装置２０ａの受取部２１ａ及び制御部２２ａと噴霧部２３ａとは、図３に示す位置関係になくてもよい。すなわち、受取部２１ａ及び制御部２２ａと噴霧部２３ａとは、ある程度距離が離れていてもよい。他の噴霧装置２０ｂ，・・・についても同様であってもよい。
【００４６】
（Ｇ）ソーラパネル１０は、単結晶シリコンを用いたものであってもよいし、多結晶シリコンを用いたものであってもよいし、アモルファスシリコンを用いたものであってもよいし、化合物半導体を用いたものであってもよいし、炭素系材料を用いたものであってもよいし、太陽光エネルギーを電気エネルギーに変換できるものであればどんな材料を用いたものであってもよい。
【００４７】
［第２実施形態］
本発明の第２実施形態に係る補助冷却システム１００を図６に示す。図６において、図１の補助冷却システム１の構成要素と同様の構成要素は同じ番号で示してある。図６に示す補助冷却システム１００は、主として、冷却機の空冷式凝縮器群７４（７４ａ，７４ｂ，・・・）における熱交換を補助するためのシステムである。
【００４８】
この補助冷却システム１００は、図６に示すように、基本的な構造は第１実施形態と同様であるが、水道水供給装置１９０をさらに備える点と、改質器１４０が雨水だけでなく雨水及び水道水の混合水の質も改善する点と、で構成が異なる。すなわち、水道水供給装置１９０は、主として水位センサー１９１，水道栓１９２及び水道管１９３を備える。水位センサー１９１は、雨水タンク３０の水位を検知して、雨水タンク３０の貯水量が所定量以下になったら、栓を開ける旨の信号を水道栓１９２に渡す。その信号を受けて、水道栓１９２は、栓を開ける。その結果、水道管１９３を経由して雨水タンクに水道水が補給される。
【００４９】
また、図６に示す補助冷却システム１００が冷却機の空冷式凝縮器群７４（７４ａ，７４ｂ，・・・）における熱交換を補助する処理の流れが次の点で第１実施形態と異なる。ここでは、補助冷却システム１００が冷却機の空冷式凝縮器７４ａにおける熱交換を補助する場合の処理の流れを説明するが、補助冷却システム１００が冷却機の他の空冷式凝縮器７４ｂ，・・・における熱交換を補助する場合も同様である。図７において、図５に示す第１実施形態と同様の処理は、同じ番号で示してある。
【００５０】
図７に示すステップＳ１１では、貯水量が所定量を超えているか否かが判断される。すなわち、水位センサー１９１により、雨水タンク３０の水位が検知されて、雨水タンク３０の貯水量が所定量を超えているか否かが判断される。貯水量が所定量を超えていると判断された場合は、ステップＳ３へ進められ、貯水量が所定量を超えていないと判断された場合は、ステップＳ１２へ進められる。
【００５１】
図７に示すステップＳ１２では、水道水が供給される。すなわち、水位センサー１９１により、栓を開ける旨の信号が水道栓１９２に渡される。その信号が受けられて、水道栓１９２により、栓が開けられる。その結果、水道管１９３を経由して雨水タンクに水道水が補給される。電磁弁５０の制御部５２により、弁を開く旨の制御信号が開閉部５３に渡される。開閉部５３により、弁が開かれ、給水管６０を経由して、雨水タンク３０から噴霧装置群２０（２０ａ，２０ｂ，・・・）に雨水及び水道水の混合水が供給される。
【００５２】
冷却機の負荷がピークになり冷却能力の不足しやすい暑さの強い時に強い日射があるため、外部から電力を供給することなく冷却機の空冷式凝縮器７４ａ，７４ｂ，・・・における熱交換が補助される点は、第１実施形態と同様である。したがって、このような補助冷却システム１００によっても、噴霧装置２０ａ，２０ｂ，・・・の導入が容易になるとともに電力不足のときに噴霧装置２０ａ，２０ｂ，・・・が十分に稼働される。
【００５３】
＜第２実施形態の変形例＞
（Ａ）図７に示すステップＳ１２において、雨水タンクに水道水が補給されなくてもよい。すなわち、水道管１９３及び給水管６０を経由して、噴霧装置群２０（２０ａ，２０ｂ，・・・）に水道水が直接供給されてもよい。この場合でも、噴霧装置２０ａ，２０ｂ，・・・の導入が容易になるとともに電力不足のときに噴霧装置２０ａ，２０ｂ，・・・が十分に稼働される。
【００５４】
（Ｂ）図６に示す補助冷却システム１００は、雨水タンク３０を備えなくてもよい。すなわち、雨水タンク３０の貯水量に関係なく、水道管１９３及び給水管６０を経由して、噴霧装置群２０（２０ａ，２０ｂ，・・・）に水道水が直接供給されてもよい。この場合でも、噴霧装置２０ａ，２０ｂ，・・・の導入が容易になるとともに電力不足のときに噴霧装置２０ａ，２０ｂ，・・・が十分に稼働される。なお、この場合、改質器１４０は、水道水のみの質を改善するものであってもよい。
【００５５】
（Ｃ）図６に示す補助冷却システム１００は、冷却機の空冷式凝縮器群７４（７４ａ，７４ｂ，・・・）における熱交換を補助するためだけでなく、緑化された領域へ散水するために用いられてもよい。この場合、緑化された領域において、植物に負荷がかかる時期に水が供給されるので、干害が防がれる。
【産業上の利用可能性】
【００５６】
本発明にかかる補助冷却システム及び補助冷却方法は、噴霧装置の設置を容易にすることができるとともにエネルギー不足のときに噴霧装置を十分に稼働することができるという効果を有し、補助冷却システム及び補助冷却方法等として有用である。
【図面の簡単な説明】
【００５７】
【図１】本発明の第１実施形態による補助冷却システムの概念図。
【図２】本発明の第１実施形態による補助冷却システムの構成図。
【図３】冷却機の室外機の概略構成図。
【図４】冷却機の室内機の概略構成図。
【図５】補助冷却システムが冷却機の空冷式凝縮器群における熱交換を補助する処理の流れを示すフローチャート。
【図６】本発明の第２実施形態による補助冷却システムの概念図。
【図７】本発明の第２実施形態による補助冷却システムの構成図。
【符号の説明】
【００５８】
１０  ソーラパネル
２０  噴霧装置
３０  雨水タンク
４０  改質器
５０  電磁弁
６０  給水管
７０  室外機群
８０  室内機群
１９０  水道水供給装置
【図１】
2005147635.tif 000003
【図２】
2005147635.tif 000004
【図３】
2005147635.tif 000005
【図４】
2005147635.tif 000006
【図５】
2005147635.tif 000007
【図６】
2005147635.tif 000008
【図７】
2005147635.tif 000009